(57)【特許請求の範囲】
【請求項１】
被検体の識別情報を含む被検体情報の入力及び表示を行う情報処理装置と通信可能に接続される超音波診断装置であって、
前記情報処理装置に入力される被検体情報を監視し、
少なくとも前記情報処理装置に入力される被検体情報が変更される毎に、当該被検体の識別情報を取得して、
取得した被検体の識別情報が、被検体の検査対象部位を撮像した画像とともに表示部に表示されるように画像データを生成させ、
前記情報処理装置に入力される被検体情報が変更される毎に、前記表示部に表示させる被検体の識別情報を更新させる制御部、
を備え、
前記制御部は、被検体の識別情報が変更されたことを契機として、前記画像データの録画を開始し、当該被検体から次の被検体に変更されるまでの間の一連の前記画像データを、前記取得した被検体の識別情報と関連付けて動画データとして保存する、
超音波診断装置。
【請求項２】
前記制御部は、被検体の識別情報が変更された場合、前記検査対象部位の画像の表示領域が撮像待ちの状態として表示されるように、前記画像データを生成させる
ことを特徴とする請求項１に記載の超音波診断装置。
【請求項３】
前記制御部は、表示設定データに基づいて、前記情報処理装置から取得した被検体情報のうち、前記被検体の検査対象部位を撮像した画像とともに前記表示部に表示させる内容を決定し、当該内容が表示されるように前記画像データを生成させる
ことを特徴とする請求項１に記載の超音波診断装置。
【請求項４】
前記制御部は、前記画像データの保存を指示する保存操作がなされた場合、前記画像データを、前記取得した被検体の識別情報と関連付けて前記画像管理装置に格納させる
ことを特徴とする請求項１に記載の超音波診断装置。
【請求項５】
前記制御部は、前記画像データの保存を指示する保存操作がなされた場合、前記画像データを前記情報処理装置に送信する
ことを特徴とする請求項１に記載の超音波診断装置。
【請求項６】
前記制御部は、前記情報処理装置に対して、被検体の識別情報を要求する信号を定期的に送信し、前記情報処理装置から被検体の識別情報を受信することによって、前記情報処理装置に入力される被検体情報を監視する
ことを特徴とする請求項１に記載の超音波診断装置。
【請求項７】
入力される被検体の識別情報が変更される毎に、被検体の識別情報の変更指示信号を送信する機能を有する前記情報処理装置と通信可能に接続され、
前記制御部は、前記情報処理装置からの、当該変更指示信号を待ち受けることによって、前記情報処理装置に入力される被検体情報を監視する
ことを特徴とする請求項１に記載の超音波診断装置。
【請求項８】
前記情報処理装置は、電子カルテ端末として用いられる
ことを特徴とする請求項１に記載の超音波診断装置。
【請求項９】
被検体の識別情報を含む被検体情報の入力及び表示を行う情報処理装置と通信可能に接続される超音波診断装置に実行させる超音波診断プログラムであって、
前記情報処理装置に入力される被検体情報を監視し、
少なくとも前記情報処理装置に入力される被検体情報が変更される毎に、当該被検体の識別情報を取得して、
取得した被検体の識別情報が、被検体の検査対象部位を撮像した画像とともに表示部に表示されるように画像データを生成させる処理と、
前記情報処理装置に入力される被検体情報が変更される毎に、前記表示部に表示させる被検体の識別情報を更新させる処理と、
被検体の識別情報が変更されたことを契機として、前記画像データの録画を開始し、当該被検体から次の被検体に変更されるまでの間の一連の前記画像データを、前記取得した被検体の識別情報と関連付けて動画データとして保存する処理と、
を備える超音波診断プログラム。
【発明の詳細な説明】
【技術分野】
【０００１】
本発明は、超音波診断装置、及び超音波診断プログラムに関する。
【背景技術】
【０００２】
超音波診断装置による検査を行う際には、一般に、医師や技師等の操作者（以下、「医師等」と言う）が、被検体としての患者のカルテ等を見て、患者のＩＤ、氏名、年齢等の患者に関する各種の情報を当該超音波診断装置に対して直接手入力した上で、患者の検査部位に対する撮像が行われている。しかしながら、撮像を実施する毎に、かかる患者に関する各種の情報を手入力することは、操作者にとって大変煩雑であるばかりか、入力ミスを生じる場合もあった。
【０００３】
このような背景から、超音波診断装置が、患者データを管理する管理サーバ等から、検査対象の患者の患者データを取得できるようにするシステム作りが種々検討されている。例えば、特許文献１には、超音波診断装置が、管理サーバから、検査を行う患者の一覧である患者データ一覧の配信を受けられるようにすることが記載されている。又、特許文献２には、医師等が超音波診断装置で所定の操作を行うことで、電子カルテ端末から、医師等によって入力された患者データを取得できるようにすることが記載されている。そして、かかる特許文献１や特許文献２では、超音波診断装置による撮像を実施した後、取得した患者データと当該超音波画像の画像データを関連付けて、管理サーバに格納することができるようになっている。
【先行技術文献】
【特許文献】
【０００４】
【特許文献１】特開２０１０−２７４０６７号公報
【特許文献２】特開２０１４−０１８４４０号公報
【発明の概要】
【発明が解決しようとする課題】
【０００５】
ところで、実際の医療現場においては、例えば、診察室で医師等による問診を行った後、その場で超音波診断装置による撮像が行われる場面がある。特に、超音波診断装置は、聴診器を使用する感覚で気軽に使用される場面が多い。
【０００６】
しかしながら、上記特許文献１に記載の従来技術では、このような状況においても、患者データを設定するために患者データ一覧から所望とする患者を探し出さなければならず、このような入力操作は大変煩わしいものである。又、上記特許文献２に記載の従来技術においても、同様に、電子カルテ端末から患者データを取得するために、医師等が超音波診断装置において入力操作を行う必要があった。そして、上記従来技術においては、医師等による入力操作が必要である以上、入力操作を忘れるおそれもあり、撮像を実施する毎に、超音波診断装置に患者データが正しく設定されているか否かを確認する作業が生じていた。  
【０００７】
そこで、本発明は、医師等による入力操作を必要とすることなく、患者の情報の設定を確実に行うことができる超音波診断装置、及び超音波診断プログラムを提供することを目的とする。
【課題を解決するための手段】
【０００８】
前述した課題を解決する主たる本発明は、被検体の識別情報を含む被検体情報の入力及び表示を行う情報処理装置と通信可能に接続される超音波診断装置であって、前記情報処理装置に入力される被検体情報を監視し、少なくとも前記情報処理装置に入力される被検体情報が変更される毎に、当該被検体の識別情報を取得して、取得した被検体の識別情報が、被検体の検査対象部位を撮像した画像とともに表示部に表示されるように画像データを生成させ、前記情報処理装置に入力される被検体情報が変更される毎に、前記表示部に表示させる被検体の識別情報を更新させる制御部、を備える超音波診断装置である。
【発明の効果】
【０００９】
本発明に係る超音波診断装置によれば、医師等による入力操作を必要とすることなく、患者の情報の設定を確実に行うことができる。
【図面の簡単な説明】
【００１０】
【図１】実施形態に係る超音波診断システムの全体構成の一例を示す図
【図２】実施形態に係る超音波診断装置の機能ブロックの一例を示す図
【図３】実施形態に係る超音波診断装置の外観を示す図
【図４】実施形態に係る電子カルテ端末の機能ブロックの一例を示す図
【図５】実施形態に係る超音波診断システムの動作フローの一例を示す図
【図６】実施形態に係る超音波診断装置に表示される診断画面の一例を示す図
【図７】実施形態に係る電子カルテ端末に表示される電子カルテ画面の一例を示す図
【図８】実施形態に係る超音波診断装置の詳細な動作フローの一例を示す図
【図９】実施形態に係る電子カルテ端末の詳細な動作フローの一例を示す図
【発明を実施するための形態】
【００１１】
以下、図１〜図４を参照して、本実施形態に係る超音波診断システムの構成の一例について説明する。
【００１２】
図１は、超音波診断システムの全体構成の一例を示す図である。図２は、超音波診断装置の機能ブロックの一例を示す図である。図３は、超音波診断装置の外観を示す図である。図４は、電子カルテ端末の機能ブロックの一例を示す図である。
【００１３】
本実施形態に係る超音波診断システムは、例えば、超音波診断装置１、電子カルテ端末２、画像管理装置３、電子カルテ管理装置４、通信回線５を含んで構成される（図１を参照）。
【００１４】
ここでは、超音波診断システムが、病院に用いられる態様を説明する。超音波診断装置１及び電子カルテ端末２は、病院の診察室に設置され、画像管理装置３及び電子カルテ管理装置４は、サーバ室に設置されている。そして、これらの装置は、通信回線５を介して、通信可能に構成されている。尚、通信回線５は、例えば、病院内に設置されたＬＡＮ（Local Area Network）回線であって、これらの装置は、ＤＩＣＯＭ（Digital Imaging and Communication in Medicine）規格に従ってデータ通信するものとする。
【００１５】
まず、病院において、患者を診察する際の一連の流れについて説明する。
【００１６】
病院には、レセプト端末（図示せず）が設けられており、患者が来院した場合、レセプト端末が電子カルテ管理装置４から当該患者の電子カルテを受信する。そして、窓口担当が、レセプト端末の表示画面にて電子カルテの内容を確認して、レセプト端末から電子カルテ端末２へ電子カルテデータを送信する。
【００１７】
診察室内には、電子カルテ端末２と超音波診断装置１が設置されており、医師が、当該電子カルテ端末２と超音波診断装置１とを用いて診察を行う。電子カルテ端末２には、レセプト端末から電子カルテを受信した順序で、複数の診察対象の患者の電子カルテが記憶される。これにより、患者は診察待ちの状態となり、電子カルテ端末２は、医師により診察対象の患者の更新操作が行われると、表示部２５に次の診察対象患者の電子カルテの内容を表示する（図７を参照して後述）。
【００１８】
医師は、当該診察対象の患者の診察を行い、診察内容を電子カルテ端末２に入力する。この際、医師は、必要に応じて超音波診断装置１を用いて、患者の腹部の臓器の検査を行う。超音波診断装置１は、検査を行った結果、取得した超音波画像を含む画像データを画像管理装置３に保存する。画像管理装置３に保存された画像データは、電子カルテ端末２又は医用画像表示装置（図示せず）によって読み出され、電子カルテ端末２等の表示画面にその超音波画像が表示される。医師は、電子カルテ端末２等の表示画面に表示された医用画像を使用して患者に説明を行うとともに、所見を電子カルテ端末２に入力する。診察が終了して、医師により電子カルテ端末２に診察終了指示が入力されると、電子カルテ端末２は、レセプト端末に電子カルテを送信する。そして、医師は、診察対象の患者の更新操作を行い、次の患者の診察を行う。
【００１９】
超音波診断装置１は、被検体の生体内部組織の状態を超音波画像にして表示出力する装置である（図２、図３を参照）。尚、以下では、超音波診断装置１で検査する対象の患者のことを「被検体」と称し、当該被検体に関するデータを「被検体情報」とも称する。
【００２０】
ここでは、超音波診断装置１は、例えば、超音波画像としてカラードプラ画像を生成するものとする。カラードプラ画像は、生体内の断層像をグレースケールで表現したＢモード画像（Brightness mode Imaging）に重ねて、血流や心筋壁等の体組織の動きを色で表現したカラー画像（Color Flow Imaging）を表示することで生成される。
【００２１】
超音波診断装置１は、制御部１１、撮像部１２、画像処理部１３、表示部１４、通信部１５、操作入力部１６、記憶部１７を含んで構成される（図２を参照）。
【００２２】
制御部１１は、超音波診断装置１の各部の動作を統括制御する。制御部１１は、例えば、ＣＰＵがプログラムを実行することによって、実現される。
【００２３】
撮像部１２は、被検体の検査対象部位を撮像して、超音波画像を生成するためのフレーム単位となる二次元データを生成する。
【００２４】
撮像部１２は、複数の振動子によって構成される超音波探触子を備え、当該超音波探触子を被検体の腹部等に押し当てた状態で、被検体内に対して超音波ビームを送信する。そして、当該超音波探触子は、この被検体内で反射した超音波エコーを受信し、受信信号を生成する。撮像部１２は、Ｂモード画像を生成する際には、当該超音波エコーによって生成された受信信号の信号強度の時間的変化をラインメモリに蓄積する。そして、撮像部１２は、超音波探触子の複数の振動子を走査（スキャン）して、超音波ビームを送受信させる方向を切り替え、各走査位置での当該受信信号をラインメモリに順次蓄積させることでフレーム単位となる二次元データを生成する。Ｂモード画像は、当該二次元データに係る受信信号の信号強度を輝度値に変換することによって生成される。又、撮像部１２は、カラー画像を生成する際には、連続して送信したパルス状の超音波ビームの、同じ深さ位置からの超音波エコーを検出する。そして、撮像部１２は、当該連続する超音波エコーの位相差に基づいて、当該深さ位置に存在する血流の速度、パワー、分散を算出して血流信号を生成する。撮像部１２は、Ｂモード画像と同様に、超音波探触子を走査（スキャン）して、超音波ビームを送受信させる方向を切り替えることで、各走査位置での血流信号をラインメモリに順次蓄積し、フレーム単位となる二次元データを生成する。カラー画像は、当該二次元データに係る血流信号の速度、パワー、分散をＲＧＢ値に変換することによって生成される。
【００２５】
画像処理部１３は、撮像部１２からフレーム単位となる二次元データを取得して、超音波画像を生成する。具体的には、画像処理部１３は、上記したとおり、受信信号の信号強度に係る二次元データからＢモード画像を生成し、血流信号の速度、パワー、分散に係る二次元データからカラー画像を生成する。そして、画像処理部１３は、Ｂモード画像上に動きのあるカラー画像を重畳することによって、カラードプラ画像を生成する。
【００２６】
画像処理部１３は、このようにして生成した超音波画像に、被検体の識別情報を示す画像を付した画像データ（以下、「超音波画像データ」とも言う）を生成して表示部１４に表示させる（図６を参照して後述する）。画像処理部１３は、上記した画像データを生成するためのバッファメモリ、生成した画像の画像データを保持可能な大容量メモリーを備えている。そして、画像処理部１３は、制御部１１からの保存指示信号に応じて、当該画像データをエンコードして記憶部１７に送出して、静止画像データ又は動画画像データとして記憶させる。尚、画像処理部１３は、超音波画像に対して、座標変換処理を施したり、データ補間処理を施したりして、表示部１４に表示可能な画像データに変換して出力する。
【００２７】
表示部１４は、ＬＣＤやＣＲＴディスプレイ等の表示装置である。表示部１４は、画像処理部１３によって生成された超音波画像の画像データに基づいて、超音波画像を表示画面上に表示する。
【００２８】
通信部１５は、通信回線５を介して電子カルテ端末２、画像管理装置３、電子カルテ管理装置４等の外部機器とデータの送受信を行うための通信インタフェイスであり、例えば、ＬＡＮアダプターによって構成される。
【００２９】
操作入力部１６は、例えば、タッチパネルや操作ボタンであり、スキャン開始及びスキャン停止を指示するコマンド、被検体情報、撮像部１２の撮像条件等の入力を受け付ける。医師等によって、操作入力部１６に入力されたデータは、操作信号として制御部１１に出力される。
【００３０】
記憶部１７は、例えば、ＲＯＭ、ＲＡＭ、ＨＤＤ等を含んで構成され、システムプログラム、当該システムプログラム上で実行可能な超音波診断プログラム等の各種処理プログラムや、各種データ、及び演算処理において一時的に記憶するためのワークエリアを有する。
【００３１】
又、記憶部１７は、上記のようにして生成された超音波画像を含む画像データを保存することができる。又、記憶部１７は、画像データとして、１フレーム分の静止画の画像データである静止画像データと、数フレーム分の静止画像データを動画表示可能に生成された動画データとを保存することができる。尚、記憶部１７に格納された超音波画像の画像データは、当該被検体の検査が終了したことを契機として、被検体の識別情報とともに、画像管理装置３に送信され、当該画像管理装置３において管理される。
【００３２】
電子カルテ端末２（情報処理装置）は、医師等が被検体に関する情報を入力したり、表示したりするコンピュータである（図４を参照）。
【００３３】
電子カルテ端末２は、制御部２１、記憶部２２、通信部２３、入力部２４、表示部２５を含んで構成される。
【００３４】
制御部２１は、電子カルテ端末２の各部を統括制御するもので、ＣＰＵ（Central Processing Unit）がコンピュータプログラムを実行することで実現される。
【００３５】
記憶部２２は、ＲＡＭ、ＲＯＭ、ＨＤＤ等を含んで構成され、システムプログラム、当該システムプログラム上で実行可能な電子カルテプログラム、アプリケーションに用いられる画像フォーマットデータ等を記憶する。
【００３６】
通信部２３は、通信回線５を介して超音波診断装置１、画像管理装置３、電子カルテ管理装置４等の外部機器とデータの送受信を行うための通信インタフェイスであり、例えば、ＬＡＮアダプターによって構成される。
【００３７】
入力部２４は、医師等が電子カルテ端末２に対して操作入力を行うためのユーザインタフェイスであり、例えば、キーボードによって構成される。
【００３８】
表示部２５は、電子カルテ等を表示するもので、例えば、液晶ディスプレイによって構成される。
【００３９】
画像管理装置３は、例えば、超音波画像データを保存及び管理するサーバ装置である。画像管理装置３は、電子カルテ端末２と同様に、コンピュータであり、ここでの詳細な説明は省略する。
【００４０】
画像管理装置３は、画像ＤＢ（Database）を備えており、超音波画像データに、患者ＩＤ、画像番号、検査情報等の画像に関する情報等を付帯させて、これらの情報を記憶する。尚、検査情報には、検査日、当該画像ファイルの保存時刻、表示深度の他、検査を識別する検査ＩＤ、検査名、受付番号、検査目的、検査内容等の検査に関する情報が含まれる。
【００４１】
電子カルテ管理装置４は、電子カルテを保存及び管理するサーバ装置である。電子カルテ管理装置４は、電子カルテ端末２と同様に、コンピュータであり、ここでの詳細な説明は省略する。
【００４２】
電子カルテ管理装置４は、例えば、電子カルテＤＢ（Database）を備え、当該電子カルテＤＢに患者毎の電子カルテを保存する。電子カルテには、患者名、患者ＩＤ、性別、生年月日、住所、職業、診察結果等の患者に関する情報が含まれている。尚、電子カルテのデータ内容の一部又は全部が、被検体情報として、電子カルテ端末２や超音波診断装置１にて表示される。
【００４３】
（超音波診断システムの動作）
次に、図５〜図７を参照して、超音波診断システムの動作の一例を説明する。
【００４４】
図５は、超音波診断システムの動作フローの一例を示す図である。本実施形態に係る超音波診断システムにおいては、図５に示すように、超音波診断装置１が電子カルテ端末２に対して、被検体の識別情報を要求する信号（以下、「被検体情報要求信号」と言う）をポーリングによって定期的に送信する構成になっている（以下、「ポーリング送信」と言う）。そして、電子カルテ端末２は、超音波診断装置１から当該被検体情報要求信号を受信した場合には、現在診察をしている被検体の識別情報（例えば、電子カルテの患者ＩＤ）を送信する構成となっている。
【００４５】
そうすることで、超音波診断装置１は、電子カルテ端末２に入力されている被検体の識別情報を監視し、電子カルテ端末２において被検体情報が変更された場合には、これに応じて、超音波診断装置１に当該被検体の識別情報を逐次反映させることができる。
【００４６】
以下の各処理では、被検体の識別情報の一例として、共通して患者ＩＤを用いるが、勿論、共通して患者ＩＤを用いる必要はなく、例えば、超音波診断装置１が監視する被検体の識別情報は、患者ＩＤとし、画面表示させる被検体の識別情報は、患者の氏名としてもよい。尚、かかる超音波診断システムの連携動作は、超音波診断装置１の制御部１１と、電子カルテ端末２の制御部２１とが、それぞれのプログラムを実行することで実現されている。超音波診断装置１の詳細な動作フローについては、図８を参照して後述する。又、電子カルテ端末２の詳細な動作フローについては、図９を参照して後述する。
【００４７】
図６は、超音波診断装置１に表示される診断画面の一例を示す図である。図６Ａは、超音波診断装置１の電源を投入したときに表示される診断画面である。図６Ｂは、電子カルテ端末２から患者ＩＤを取得したときに表示される診断画面である。図６Ｃは、被検体を撮像しているときに表示される診断画面である。
【００４８】
図６Ａ〜図６Ｃに示す診断画面は、超音波診断装置１の画像処理部１３によって生成され、制御部１１の制御に応じて順次更新される。診断画面は、例えば、超音波画像データと画像フォーマットに基づいて生成される。
【００４９】
ここで、図６Ａ〜図６ＣのＴ１は、被検体の識別情報が表示される被検体表示領域であり、例えば、被検体の患者ＩＤや名前が表示される。Ｔ２は、被検体の検査対象部位の超音波画像が表示される超音波画像表示領域であり、例えば、カラードプラ画像が表示される。尚、この超音波画像と被検体の識別情報とが表示された診断画面の画像データが、保存対象となる「超音波画像データ」に相当する。
【００５０】
図７は、電子カルテ端末２に表示される電子カルテ画面の一例を示す図である。電子カルテ画面には、被検体の識別情報の入力ボックスＴ３（患者ＩＤ）の他、名前、生年月日、診察結果等が編集可能な状態で表示される。又、電子カルテ画面には、超音波画像を表示する超音波画像表示領域Ｔ４が設けられ、超音波診断装置１から超音波画像を受信した場合、当該表示領域Ｔ４に超音波画像が埋め込まれるようにして表示される。又、電子カルテ画面には、医師等が、次の診察対象の患者の診察を開始するために更新ボタンＴ５が設けられている。更新ボタンＴ５が選択操作された場合、レセプト端末から受信した電子カルテが順に入力される。
【００５１】
図５に示すように、超音波診断装置１において、電源が投入されると、まず、連携先の電子カルテ端末２等の設定がなされる（ステップＳ１）。
【００５２】
ここでは、超音波診断装置１において表示される設定画面（図示せず）において、医師等が、例えば、連携先の電子カルテ端末２のＩＰアドレスを設定するものとする。超音波診断装置１は、この設定を行った段階で、診断画面の初期画面（図６Ａ）を表示し、当該電子カルテ端末２に対して、被検体情報要求信号のポーリング送信を開始する。又、本実施形態に係る超音波診断装置１は、電源が投入されると、撮像部１２によって撮像が開始され、当該撮像部１２による撮像状態が継続して行われることになる。そして、撮像部１２の超音波探触子が、被検体の検査対象部位に押し当てられた場合、超音波診断装置１の診断画面には、撮像された超音波画像が領域Ｔ２に入力された状態で表示される（図６Ｃ）。尚、ポーリング送信は、電源がオフされるまで実行されるものとしてもよいし、医師等の入力操作によって、実行を開始させたり終了させたりするものしてもよい。
【００５３】
電子カルテ端末２においては、まず、電子カルテ画面（図７）が表示されて、被検体情報の入力が可能な待ち受け状態となる（ステップＳ２）。
【００５４】
例えば、医師等が診察を開始するために更新ボタンＴ５を押すと、電子カルテ端末２には、次の患者の電子カルテ（被検体情報）が入力される（ステップＳ３）。
【００５５】
超音波診断装置１は、上記したとおり、電子カルテ端末２に対して、定期的に被検体情報要求信号を送信し、電子カルテ端末２に入力される患者ＩＤを取得することで監視している。超音波診断装置１は、当該患者ＩＤに変更があると、現在設定している患者ＩＤを更新するとともに、診断画面の被検体表示領域Ｔ１に当該患者ＩＤを表示する（ステップＳ４）（図６Ｂ）。そして、かかる状態で、医師等が、被検体に対して撮像部１２の超音波探触子を押し当てた場合には、超音波画像が、診断画面の超音波画像表示領域Ｔ２に表示される（図６Ｃ）。
【００５６】
超音波診断装置１において、超音波画像の静止画像を保存する操作が行われた場合（静止画保存操作）、超音波診断装置１は、当該静止画像の画像データを記憶部１７に格納する（ステップＳ５）。そして、超音波診断装置１は、当該静止画像の画像データを電子カルテ端末２に対して送信する。尚、上記したポーリング送信は、静止画保存操作が行われた際も継続して実行される。
【００５７】
電子カルテ端末２は、超音波診断装置１から当該静止画像の画像データを受信した場合、当該画像データを表示部２５に表示する（ステップＳ６）。このとき電子カルテ端末２は、カルテ画面の超音波画像表示領域Ｔ４に、受信した画像データの画像を埋め込んで表示部２５に表示する（図７）。
【００５８】
次の被検体についての診察に移行するために、更新ボタンが押されると、電子カルテ端末２には、当該他の被検体の情報が、診察対象として入力される（ステップＳ７）。
【００５９】
超音波診断装置１は、ステップＳ４と同様に、電子カルテ端末２に対して、定期的に被検体情報要求信号を送信しているので、電子カルテ端末２から当該被検体情報を取得する（ステップＳ８）。そして、超音波診断装置１は、当該取得した患者ＩＤが、現在設定されている患者ＩＤと異なる場合、被検体情報を変更する処理を行う（図１０を参照して後述）。このとき、超音波診断装置１は、記憶部１７に記憶された、現在の被検体に係る画像データを当該現在の被検体に係る患者ＩＤとともに画像管理装置３に送信して、画像ＤＢに格納させる。
【００６０】
このようにして、本実施形態に係る超音波診断装置１においては、医師等が何ら操作をすることなく、設定された被検体情報が自動的に更新されていくことになる。
【００６１】
尚、電子カルテ端末２に入力される患者ＩＤを監視する際、上記態様に代えて、電子カルテ端末２が、超音波診断装置１から送信された前回の被検体情報要求信号から被検体情報の変更があった場合にのみ、当該被検体情報を送信する態様としてもよい。その場合、例えば、電子カルテ端末２は、超音波診断装置１から送信された被検体情報要求信号の時刻、及び被検体情報がカルテ画面（図７）で入力された時刻を記憶しておき、当該時刻に基づいて、被検体情報の変更があったかを判定すればよい。
【００６２】
又、電子カルテ端末２は、超音波診断装置１に対して、被検体情報として患者ＩＤ等の被検体の識別情報だけを送信してもよいし、これに加えて、生年月日、性別、身長、体重、年齢等も送信する構成としてもよい。
【００６３】
（超音波診断装置の動作）
図８は、超音波診断装置１の詳細な動作フローの一例を示す図である。図８に示す各ステップは、超音波診断装置１の制御部１１が超音波診断プログラムに従って実行するものとする。
【００６４】
超音波診断プログラムを実行した際、制御部１１は、まず、記憶部１７に格納された設定データの読み出しを行い、各種処理における変数として当該設定データを設定する（ステップＳ１１）。
【００６５】
ここで、設定データには、例えば、連携対象の電子カルテ端末２のアドレスデータ、装置設定データ、表示設定データ、被検体設定データ等が含まれる。連携対象の電子カルテ端末２のアドレスデータは、例えば、ＩＰアドレスとして設定される。制御部１１は、かかる電子カルテ端末２に対して被検体情報要求信号をポーリング送信し、電子カルテ端末２から当該被検体情報を取得する。又、装置設定データは、撮像部１２で被検体の検査対象部位を撮像する際の測定条件等を設定するデータである。又、表示設定データは、図６に示した診断画面に表示する被検体情報の内容を示す設定データである。この表示設定データに基づいて、診断画面には、例えば、上記した患者ＩＤ、名前に加えて、性別、検査履歴、年齢、検査対象部位等を表示させることができる。被検体設定データは、患者ＩＤ等、現在の被検体情報を設定する変数であって、電子カルテ端末２から被検体情報を取得する毎に設定される。尚、連携対象の電子カルテ端末２のアドレスデータ、装置設定データ、表示設定データ等の設定データは、例えば、このステップＳ１１で表示される設定画面（図示せず）において、医師等が入力操作することによって変更することができる。
【００６６】
制御部１１は、設定データを読み出した後、画像処理部１３に、図６Ａに示す初期画面の生成を行わせ、表示部１４に表示させる（ステップＳ１２）。
【００６７】
そして、制御部１１は、撮像部１２に撮像を開始させて、画像処理部１３に超音波画像データの生成処理を開始させる（ステップＳ１３）。より詳細には、制御部１１は、撮像部１２に撮像指示信号を出力し、超音波探触子の複数の振動子を走査（スキャン）させて、Ｂモード画像及びカラー画像に係るフレーム単位となる二次元データの生成を開始させる。そして、制御部１１は、画像処理部１３に画像生成指示信号を出力し、撮像部１２で生成された二次元データに基づいて、超音波画像データの生成を開始させる。又、制御部１１は、表示部１４に表示指示信号を出力し、画像処理部１３で生成された超音波画像データの画像を表示させる。
【００６８】
本実施形態に係る超音波診断装置１は、上記したとおり、電源が投入されると、当該撮像部１２によって継続して撮像を行う。そして、撮像部１２の超音波探触子が、被検体の検査対象部位に押し当てられた場合、超音波診断装置１の診断画面には、撮像された超音波画像が領域Ｔ２に入力された状態で表示される（図６Ｃ）。
【００６９】
まず、制御部１１は、電子カルテ端末２に対して被検体情報要求信号を送信し、電子カルテ端末２から現在設定されている患者ＩＤを取得する（ステップＳ１４）。このステップＳ１４の処理は、図５で説明した被検体情報要求信号のポーリング送信処理に相当する。尚、このとき、電子カルテ端末２は、上記したとおり、図７のカルテ画面に入力された患者ＩＤを超音波診断装置１に対して送信する。
【００７０】
続いて、制御部１１は、電子カルテ端末３から取得した被検体（患者ＩＤ）が、現在設定されている被検体（患者ＩＤ）から変更されたかを判定する（ステップＳ１５）。
【００７１】
尚、超音波診断装置１は、電子カルテ端末２から患者ＩＤ等に加えて、性別、検査履歴、年齢、検査対象部位等についての被検体情報も取得する。そして、当該被検体情報は、診断画面に表示するために用いられるか、又は、画像管理装置３に超音波画像データとともに付帯データとして格納される。言い換えると、電子カルテ端末２から取得した被検体情報は、診断画面（図６）に表示されることなく、画像管理装置３に画像データと関連付けるためだけに用いられるものもある。そうすることで、画像管理装置３における画像データの検索性を向上させたりすることができる。
【００７２】
制御部１１は、当該取得した患者ＩＤが、現在設定されている患者ＩＤと異なる場合（ステップＳ１５：ＹＥＳ）、検査対象たる被検体を変更するべく、被検体情報を変更する処理を行う（ステップＳ１６）（図９を参照）。一方、制御部１１は、当該取得した患者ＩＤが、現在設定されている患者ＩＤと同じ場合（ステップＳ１５：ＮＯ）、次のステップＳ１７の処理を実行する。
【００７３】
被検体情報変更処理（ステップＳ１６）では、制御部１１は、現在設定されている被検体情報（患者ＩＤ等）を、取得した被検体情報（患者ＩＤ等）に変更する。これによって、以降のステップＳ２０、Ｓ２３の超音波画像データの保存処理においては、医師等による設定操作を必要とすることなく、超音波画像データと変更後の被検体情報（患者ＩＤ等）とが関連付けられた状態で処理が実行されることになる。尚、制御部１１は、この際、記憶部１７に保持される上記した被検体設定データ（例えば、患者ＩＤ）に基づいて、被検体が変更したか否かを確認している。そして、制御部１１は、当該被検体設定データを変更することによって、現在の被検体情報を設定する。
【００７４】
そして、制御部１１は、当該変更後の被検体情報が診断画面に表示されるように、画像処理部１３に対して、診断画面の更新を行わせる（図６Ｂ）。図６Ｂに示したように、更新された診断画面においては、超音波画像表示領域Ｔ２には、撮像待ちの状態を表示され、被検体表示領域Ｔ１には当該変更後の患者ＩＤを表示される。尚、当該画像データは、例えば、画像処理部１３が被検体の患者名のテキストデータに応じた画像フォーマットデータを選択することによって生成される。又、このとき、超音波診断装置１は、表示設定に基づいて、取得した被検体情報のうち表示する内容を決定する。超音波診断装置１は、例えば、患者ＩＤに加えて検査履歴を診断画面に表示させることができる。尚、この際、制御部１１は、例えば、記憶部１７に保持された上記した表示設定データに基づいて、画像処理部１３に当該表示させる項目を設定する。そして、画像処理部１３は、受信した被検体情報の中から予め設定された項目をよみだし、診断画面に表示させる。
【００７５】
次のステップとして、制御部１１は、操作入力部１６への操作があったか判定する（ステップＳ１７）。このステップでは、制御部１１は、操作入力部１６として設けられた撮像停止操作、撮像再開操作、静止画保存操作、動画保存開始操作、動画保存終了操作等を行うための操作ボタンのいずれかが押下されたかを判定する。尚、いずれかの操作ボタンが押下された場合には、例えば、識別可能な操作信号としてレジスタに格納され、当該レジスタを介して制御部１１に入力される。
【００７６】
具体的には、制御部１１は、操作入力部１６への操作がない場合（ステップＳ１７：ＮＯ）、再度、ステップＳ１４に戻って、上記と同様の処理を継続する。一方、制御部１１は、操作入力部１６への操作があった場合（ステップＳ１７：ＹＥＳ）、操作信号に基づいて条件分岐して、撮像停止操作、撮像再開操作、静止画保存操作、動画保存開始操作、動画保存終了操作それぞれに対応する処理を実行する（ステップＳ１８〜Ｓ２３）。
【００７７】
ここで、操作入力部１６への操作がなされた場合の撮像停止操作、撮像再開操作、静止画保存操作、動画保存開始操作、動画保存終了操作それぞれに対応する処理について説明する（ステップＳ１８〜Ｓ２３）。
【００７８】
フリーズ解除操作がなされた場合、制御部１１は、フリーズ操作でフリーズ状態にした撮像部１２及び画像処理部１３の動作を再開させる（ステップＳ１８）。
【００７９】
フリーズ操作がなされた場合、制御部１１は、撮像部１２及び画像処理部１３に動作を停止させる（ステップＳ１９）。尚、このとき、画像処理部１３のフレームバッファには、最後に生成した超音波画像データが保持され、表示部１４は、当該超音波画像データが入力された状態で画像の更新を停止する。言い換えると、表示部１４は、画像処理部１３で最後に生成された超音波画像データの静止画を表示する。
【００８０】
静止画保存操作がなされた場合、制御部１１は、静止画像データの保存処理を実行する（ステップＳ２０）。この静止画像データの保存処理では、制御部１１は、まず、画像処理部１３に対して保存指示信号を出力して、保存対象としての１フレーム分の超音波画像データを生成させる。画像処理部１３は、例えば、静止画保存操作が押下されたときの１フレームの画像データをＪＰＥＧ形式にエンコードすることによって、保存対象の超音波画像データを生成し、記憶部１７に記憶させる。尚、保存対象としての静止画の画像データは、上記したとおり、被検体の識別情報とカラードプラ画像とを含む画像データである（図６Ｃ）。
【００８１】
そして、制御部１１は、保存対象の静止画の画像データを現在の患者ＩＤを含む付帯データとともに画像管理装置３に送信し、当該画像データを当該現在の患者ＩＤと関連付けて画像管理装置３の画像ＤＢに格納させる（ステップＳ２１）。
【００８２】
この付帯データには、例えば、被検体情報、検査情報、シリーズ情報、画像情報を含ませることができる。特に、制御部１１は、超音波画像データを識別可能にするため、保存対象の超音波画像データ毎に、異なる画像ＩＤを生成して画像管理装置３に格納させる構成となっている。尚、被検体情報とは、患者名、患者ＩＤ、性別、生年月日、住所、職業等の患者の情報である。又、検査情報とは、検査日、当該画像ファイルの保存時刻、表示深度の他、検査を識別する検査ＩＤ、検査名、受付番号、検査目的、検査内容等の検査に関する情報である。又、シリーズ情報とは、モダリティ名、使用した超音波探触子の種別等、一連の検査における医用画像の種別に関する情報である。又、画像情報とは、画像サイズに関する情報等である。
【００８３】
又、制御部１１は、この際、電子カルテ端末２に対しても保存対象の静止画の画像データを送信し（ステップＳ２１）、当該画像データを電子カルテ端末２に表示させる（図５のステップＳ６に対応する）。
【００８４】
動画保存開始操作がなされた場合、制御部１１は、動画像データの記録を開始する（ステップＳ２２）。このとき、制御部１１は、画像処理部１３に対して、保存対象としての動画像データの生成を開始させる。画像処理部１３は、例えば、連続する複数のフレームの画像データをＭＰＥＧ形式にエンコードすることによって、動画像データを生成し、記憶部１７に記憶させる。これによって、被検体の識別情報と動きのあるカラードプラ画像とを含む動画像の画像データ（図６Ｃ）が、順次、記憶部１７に記憶される。
【００８５】
動画保存終了操作がなされた場合、制御部１１は、動画保存開始操作で開始した動画像データの記録を停止する（ステップＳ２３）。そして、制御部１１は、静止画の画像データの保存処理と同様に、動画保存開始操作で開始して動画保存終了操作で終了するまでの一連の動画の画像データを現在の患者ＩＤを含む付帯データとともに画像管理装置３に送信し、当該画像データを当該現在の患者ＩＤと関連付けて画像管理装置３の画像ＤＢに格納させる（ステップＳ２４）。
【００８６】
そして、制御部１１は、これらの操作に対応する処理を実行した後、再度、ステップＳ１４に戻って、上記と同様の処理を継続する。
【００８７】
（電子カルテ端末の動作）
次に、図９を参照して、電子カルテ端末２の動作フローの詳細を説明する。
【００８８】
図９は、電子カルテ端末２の動作の一例を示すフローチャートである。この電子カルテ端末２の動作は、制御部２１の動作であって、例えば、ＣＰＵが電子カルテプログラムを実行することによって実現される。
【００８９】
まず、制御部２１は、初期設定を行って、図７に示した電子カルテ画面を生成する（ステップＳ３１）。尚、この初期設定では、連携対象の超音波診断装置１のＩＰアドレス、レセプト端末のＩＰアドレス等が設定される。そして、電子カルテ端末２は、次のステップＳ３２〜Ｓ４１の監視処理を行って、これらのイベントを検出した場合、対応する処理を実行する。
【００９０】
制御部２１は、レセプト端末から電子カルテを受信したか判定する（ステップＳ３２）。レセプト端末から電子カルテを受信している場合（ステップＳ３２：ＹＥＳ）、制御部２１は、当該受信した電子カルテを順番待ちの電子カルテとして記憶部２２に格納する（ステップＳ３３）。
【００９１】
レセプト端末から電子カルテを受信していない場合（ステップＳ３２：ＮＯ）、制御部２１は、続くステップＳ３４の処理を行う。
【００９２】
制御部２１は、医師等により入力部２４（例えば、キーボード）に入力操作が行われたかを判定する（ステップＳ３４）。そして、入力操作が行われた場合（ステップＳ３４：ＹＥＳ）、制御部２１は、当該入力操作に応じた処理を実行する。このとき、電子カルテ画面の診察結果の入力ボックスにおける編集操作である場合、制御部２１は、対応するテキストデータを電子カルテに入力し、記憶させる。又、このとき、電子カルテ画面の更新ボタンＴ５への選択操作であった場合、制御部２１は、診察対象の電子カルテを次の順番待ちの電子カルテに変更する。言い換えると、現在の患者の診察を終了させるべく、現在設定している電子カルテをレセプト端末に送信し、当該電子カルテを電子カルテ管理装置４に格納させる（ステップＳ３５）。入力操作が行われていない場合（ステップＳ３４：ＮＯ）、制御部２１は、続くステップＳ３６の処理を行う。
【００９３】
制御部２１は、超音波診断装置１から被検体情報要求信号を受信したか判定する（ステップＳ３６）。そして、被検体情報要求信号を受信している場合（ステップＳ３６：ＹＥＳ）、制御部２１は、現在設定されている電子カルテの患者ＩＤを超音波診断装置１に対して送信する（ステップＳ３７）。被検体情報要求信号を受信していない場合（ステップＳ３６：ＮＯ）、制御部２１は、続くステップＳ３８の処理を行う。
【００９４】
制御部２１は、超音波診断装置１から超音波画像データを受信したか判定する（ステップＳ３８）。そして、超音波画像データを受信している場合（ステップＳ３８：ＹＥＳ）、制御部２１は、現在設定されている電子カルテに当該超音波画像データを追加し、電子カルテ画面に当該超音波画像を表示する（ステップＳ３９）。超音波画像データを受信していない場合（ステップＳ３８：ＮＯ）、制御部２１は、再度、ステップＳ３２に戻って、監視処理を続行する。
【００９５】
以上のようにして、電子カルテ端末２は、超音波診断装置１と連携して、超音波診断システムを構成する。
【００９６】
以上、本実施形態に係る超音波診断装置１によれば、電子カルテ端末２に入力される被検体の識別情報を所定期間ごとに監視する構成となっているため、電子カルテ端末２に入力される被検体の識別情報が、逐次、当該超音波診断装置１に反映される。そのため、超音波診断装置１の診断画面には、常に、被検体を識別するための識別情報（患者名等）が表示されるようにすることができる。その結果、医師等は、超音波診断装置１に対して被検体の情報を入力するための操作をしたり、現在設定された被検体の情報が正しいか否かを確認したりする作業も不要となり、撮像操作に集中することができる。
【００９７】
加えて、本実施形態に係る超音波診断装置１によれば、生成された被検体の検査対象部位の超音波画像の画像データを保存する際には、当該被検体の識別情報（患者ＩＤ、患者名等）が入った状態の画像データとして管理することができる。そのため、その後に、医師等が当該超音波画像を閲覧するときには、他の患者のものと間違えることも防止できる。
【００９８】
又、この超音波診断装置１は、電子カルテ端末２等に入力された被検体情報が変更される毎に、検査対象部位の超音波画像を表示する領域を未撮像状態に更新する。そのため、他の患者が、前の患者の超音波画像を閲覧し得る状態を防止でき、プライバシーの保護に資することができる。又、医師等にとっても、電子カルテ端末２等における被検体情報の更新忘れ等にも気づくことができる。
【００９９】
又、この超音波診断装置１は、被検体の識別情報が表示された状態の超音波画像の動画データとして保存することができるため、当該動画データの中のある時点における画像を切り出して利用する態様にも好適に用いることができる。
【０１００】
又、この超音波診断装置１によれば、画像データの保存操作を行った場合、これによって生成された超音波画像データを自動的に電子カルテ端末等に送信して表示させることができるため、再度、電子カルテ端末等で問診を行ったりする際に、画像管理装置３から当該超音波画像データを取得する操作も不要となる。
【０１０１】
（変形例１）
上記実施形態では、超音波診断装置１が電子カルテ端末２に対して、被検体情報要求信号をポーリング送信することによって、電子カルテ端末２で入力された被検体の識別情報（患者ＩＤ）を監視する構成とした。しかし、これに代えて、超音波診断装置１は、イベントドリブン方式で、電子カルテ端末２で入力された被検体の識別情報（患者ＩＤ）を監視する構成としてもよい。
【０１０２】
この場合、例えば、電子カルテ端末２の電子カルテプログラムは、患者ＩＤを変更した場合、超音波診断装置１に対して当該患者ＩＤを送信する構成とする。つまり、電子カルテ端末２は、入力される被検体の識別情報が変更される毎に、被検体の識別情報の変更指示信号を超音波診断装置１に対して送信する機能を有する構成とする。
【０１０３】
又、超音波診断装置１の超音波診断プログラムは、電子カルテ端末２から患者ＩＤが送信されることを待ち受ける構成とすればよい。例えば、超音波診断装置１は、電子カルテ端末２から被検体の識別情報の変更指示信号を受信した場合、現在の処理を一時停止して、上記した被検体情報変更処理（ステップＳ１６）の割り込み処理を実行する構成とする。
【０１０４】
このような構成とすることで、超音波診断装置１は、上記ステップＳ１６と同様に、電子カルテ端末２で入力された患者ＩＤが変更する毎に、被検体情報を変更する動作をすることができる。
【０１０５】
尚、この場合、電子カルテ端末２において、電子カルテプログラムとは別に監視プログラムを稼働させて、電子カルテ端末２の電子カルテで入力される患者ＩＤを監視する構成としてもよいのは勿論である。
【０１０６】
（変形例２）
上記実施形態では、超音波診断装置１は、撮像部１２が撮像している間、超音波画像の動画データを生成する構成としたが、被検体が変更したことを契機として、当該被検体に係る超音波画像の動画データを生成する処理を開始してもよい。
【０１０７】
この場合、例えば、制御部１１は、上記した図８のステップＳ１５で、被検体を変更したと判定した場合に、画像処理部１３に超音波画像の動画データの生成を開始させる。そして、次の被検体に変更されるまでの間、当該被検体に係る動画データを生成し続ける構成とする。このような構成とすることで、診察を開始してから診察を終了するまでの一連の記録として、超音波画像の動画データを利用することができる。尚、この場合には、超音波画像データには、被検体情報として、被検体の識別情報のみならず、医師等が電子カルテ端末２の電子カルテに入力した診察結果等も併せて表示させることが望ましい。
【０１０８】
（変形例３）
上記実施形態では、超音波診断装置１は、ポーリング送信によって、電子カルテ端末２から被検体情報（患者ＩＤ）を取得する構成としたが、当該被検体情報が現在超音波診断装置１に設定されている患者ＩＤと同じである場合には当該被検体情報を受信しない構成としてもよい。その場合、例えば、電子カルテ端末２が、超音波診断装置１からのポーリング送信に対して、前回のポーリング送信から患者ＩＤが変更されたかを判定すればよい。
【０１０９】
以上、本発明の具体例を詳細に説明したが、これらは例示にすぎず、請求の範囲を限定するものではない。請求の範囲に記載の技術には、以上に例示した具体例を様々に変形、変更したものが含まれる。
【０１１０】
本明細書および添付図面の記載により、少なくとも以下の事項が明らかとなる。
【０１１１】
被検体の識別情報を含む被検体情報の入力及び表示を行う情報処理装置２と通信可能に接続される超音波診断装置１であって、前記情報処理装置２に入力される被検体情報を監視し、少なくとも前記情報処理装置２に入力される被検体情報が変更される毎に、当該被検体の識別情報を取得して、取得した被検体の識別情報が、被検体の検査対象部位を撮像した画像とともに表示部１４に表示されるように画像データを生成させ、前記情報処理装置２に入力される被検体情報が変更される毎に、前記表示部１４に表示させる被検体の識別情報を更新させる制御部１１、を備える超音波診断装置１を開示する。
【０１１２】
ここで、前記制御部１１は、被検体の識別情報が変更された場合、前記検査対象部位の画像の表示領域が撮像待ちの状態として表示されるように、前記画像処理部１３に前記画像データを生成させるものであってもよい。
【０１１３】
又、ここで、前記制御部１１は、表示設定データに基づいて、前記情報処理装置２から取得した被検体情報のうち、前記被検体の検査対象部位を撮像した画像とともに前記表示部１４に表示させる内容を決定し、当該内容が表示されるように前記画像データを生成させるものであってもよい。
【０１１４】
又、ここで、前記制御部１１は、前記画像データを前記取得した被検体の識別情報と関連付けて画像管理装置３に格納させるものであってもよい。
【０１１５】
又、ここで、前記制御部１１は、前記画像データの保存を指示する保存操作がなされた場合、前記画像データに係る動画データを生成させるものであってもよい。
【０１１６】
又、ここで、前記制御部１１は、被検体の識別情報が変更されたことを契機として、前記画像データに係る動画データを生成させるものであってもよい。
【０１１７】
又、ここで、前記制御部１１は、前記画像データの保存を指示する保存操作がなされた場合、前記画像データを、前記取得した被検体の識別情報と関連付けて前記画像管理装置３に格納させるものであってもよい。
【０１１８】
又、ここで、前記制御部１１は、前記画像データの保存を指示する保存操作がなされた場合、前記画像データを前記情報処理装置２に送信するものであってもよい。
【０１１９】
又、ここで、前記制御部は、前記情報処理装置２に対して、被検体の識別情報を要求する信号を定期的に送信し、前記情報処理装置から被検体の識別情報を受信することによって、前記情報処理装置２に入力される被検体の識別情報を監視するものであってもよい。
【０１２０】
又、ここで、入力される被検体の識別情報が変更される毎に、被検体の識別情報の変更指示信号を送信する機能を有する前記情報処理装置２と通信可能に接続され、前記制御部１１は、前記情報処理装置２からの、当該変更指示信号を待ち受けることによって、前記情報処理装置２に入力される被検体の識別情報を監視するものであってもよい。
【０１２１】
又、ここで、前記情報処理装置２は、電子カルテ端末として用いられるものであってもよい。
【０１２２】
又、被検体の識別情報を含む被検体情報の入力及び表示を行う情報処理装置２と通信可能に接続される超音波診断装置１に実行させる超音波診断プログラムであって、前記情報処理装置２に入力される被検体情報を監視し、少なくとも前記情報処理装置２に入力される被検体情報が変更される毎に、当該被検体の識別情報を取得して、取得した被検体の識別情報が、被検体の検査対象部位を撮像した画像とともに表示部１４に表示されるように画像データを生成させる処理と、前記情報処理装置２に入力される被検体情報が変更される毎に、前記表示部１４に表示させる被検体の識別情報を更新させる処理と、を備える超音波診断プログラムを開示する。
【産業上の利用可能性】
【０１２３】
本開示は、超音波診断システムの超音波診断装置として好適に用いることができる。
【符号の説明】
【０１２４】
１  超音波診断装置
２  電子カルテ端末
３  画像管理装置
４  電子カルテ管理装置
５  通信回線
【図１】
0006680046.tif 000002
【図２】
0006680046.tif 000003
【図３】
0006680046.tif 000004
【図４】
0006680046.tif 000005
【図５】
0006680046.tif 000006
【図６】
0006680046.tif 000007
【図７】
0006680046.tif 000008
【図８】
0006680046.tif 000009
【図９】
0006680046.tif 000010